(57)【要約】【課題】便座の上面を簡単かつコスト安に乾燥させることができる便器を提供する。【解決手段】便器本体３のボウル部２の上部に便座４が設けられ、この便座４を覆う便蓋５が設けられて、便蓋５の閉止時にボウル部２内を高圧水やミスト等で洗浄する洗浄装置１０が設置された便器１において、閉止時の便蓋５の内面の略中央部に向かって上外向きに送風するファン（送風手段）１１が設けられ、この送風は、便蓋５の内面に沿って略中央部から外方へ放射状に拡散されながら、便蓋５の外周壁５ｂの内面で内方へＵターンされ、便座４の上面４ｂに沿ってボウル部２内に入るように誘導されるようになるから、便座４の上面４ｂに付着した高圧水やミスト等による水滴ｄは、送風の風力で吹き押されながら、ボウル部２内に吹き落とされるようになる。【選択図】図２
2008023034.tif 000002
【特許請求の範囲】
【請求項１】
便器本体のボウル部の上部に便座が設けられ、この便座を覆う便蓋が設けられて、便蓋の閉止時にボウル部内を高圧水やミスト等で洗浄する洗浄装置が設置された便器において、
前記閉止時の便蓋の内面の略中央部に向かって上外向きに送風する送風手段が設けられ、この送風は、便蓋の内面に沿って略中央部から外方へ放射状に拡散されながら、便蓋の外周壁の内面で内方へＵターンされ、便座の上面に沿ってボウル部内に入るように誘導されることを特徴とする便器。
【請求項２】
前記送風手段は、便蓋の内面の略中央部に取付けられたファンであり、このファンを収納するファンケースの外周囲に、ファンの送風を上向きにガイドするフィンが設けられていることを特徴とする請求項１に記載の便器。
【請求項３】
前記便座の内端部は、ボウル部の内端部よりも内方に位置させるとともに、便座の上面は、ボウル部に向かって下向きに傾斜させていることを特徴とする請求項１または２に記載の便器。
【請求項４】
前記送風は温風であることを特徴とする請求項１〜３のいずれか一項に記載の便器。
【請求項５】
前記送風手段は、洗浄装置による洗浄の終了後、所定の時間だけ送風を行うように制御手段で制御されることを特徴とする請求項１〜４のいずれか一項に記載の便器。
【発明の詳細な説明】
【技術分野】
【０００１】
本発明は、便蓋の閉止時にボウル部内を高圧水やミスト等で洗浄する洗浄装置が設置された便器に関する。
【背景技術】
【０００２】
従来、便座内に散水と送風とを行うパイプを埋め込んで、便座の上面に付着した小便等を、散水と送風で洗い流しと吹き落としが行えるようにした便座装置がある（特許文献１参照）。
【０００３】
ところで、便器本体のボウル部の上部に便座が設けられ、この便座を覆う便蓋が設けられて、便蓋の閉止時にボウル部内を高圧水やミスト等で洗浄する洗浄装置が設置された便器がある。
【０００４】
このような洗浄装置が設置された便器では、便座の上面に高圧水やミスト等の水滴が付着して濡れるので、次に使用するまでに、便座の上面を乾燥させておく必要がある。
【特許文献１】特開平５−３１１７２３号公報
【発明の開示】
【発明が解決しようとする課題】
【０００５】
しかしながら、特許文献１では、便座内に散水と送風とを行うパイプを埋め込む必要があるとともに、散水と送風とを切り替える制御手段を必要とするから、構造が複雑でコスト高になるという問題があった。
【０００６】
本発明は、前記問題を解消するためになされたもので、便座の上面を簡単かつコスト安に乾燥させることができる便器を提供することを目的とするものである。
【課題を解決するための手段】
【０００７】
前記課題を解決するために、本発明は、便器本体のボウル部の上部に便座が設けられ、この便座を覆う便蓋が設けられて、便蓋の閉止時にボウル部内を高圧水やミスト等で洗浄する洗浄装置が設置された便器において、前記閉止時の便蓋の内面の略中央部に向かって上外向きに送風する送風手段が設けられ、この送風は、便蓋の内面に沿って略中央部から外方へ放射状に拡散されながら、便蓋の外周壁の内面で内方へＵターンされ、便座の上面に沿ってボウル部内に入るように誘導されることを特徴とする便器を提供するものである。
【０００８】
請求項２のように、前記送風手段は、便蓋の内面の略中央部に取付けられたファンであり、このファンを収納するファンケースの外周囲に、ファンの送風を上向きにガイドするフィンが設けられている構成とすることが好ましい。
【０００９】
請求項３のように、前記便座の内端部は、ボウル部の内端部よりも内方に位置させるとともに、便座の上面は、ボウル部に向かって下向きに傾斜させていることが好ましい。
【００１０】
請求項４のように、前記送風は温風であることが好ましい。
【００１１】
請求項５のように、前記送風手段は、洗浄装置による洗浄の終了後、所定の時間だけ送風を行うように制御手段で制御されることが好ましい。
【発明の効果】
【００１２】
本発明によれば、送風手段により、便蓋の内面の略中央部に向かって上外向きに送風することで、この送風は、便蓋の内面に沿って略中央部から外方へ放射状に拡散されながら、便蓋の外周壁の内面で内方へＵターンされ、便座の上面に沿ってボウル部内に入るように誘導されるようになるから、便座の上面に付着した高圧水やミスト等による水滴は、送風の風力で吹き押されながら、ボウル部内に吹き落とされるようになる。同時に、送風によって、便座の上面が乾燥されるようになる。これにより、次に使用する時には、便座の上面に水滴が付着していないので、快適に使用できるようになる。また、送風手段を設けるだけであるから、構造が簡単でコスト安になる。
【００１３】
請求項２によれば、便蓋の内面にファンを取付けるだけであるから、構造が簡単でコスト安になる。
【００１４】
請求項３によれば、便座の上面に付着した洗浄水やミスト等による水滴がボウル部内に吹き落とされやすくなる。
【００１５】
請求項４によれば、温風によって、便座の上面の乾燥が早まるようになる。
【００１６】
請求項５によれば、洗浄装置による自動洗浄に続いて、便座の上面の水滴を自動的に除去できるようになる。
【発明を実施するための最良の形態】
【００１７】
以下、本発明を実施するための最良の形態について、図面を参照しながら詳細に説明する。
【００１８】
図１（ａ）は便器１の平面図（後述するファン１１による送風の誘導経路ｃを一点鎖線で図示している。）、図１（ｂ）は便器１の側面図、図２（ａ）は便器１の側面断面図である。
【００１９】
便器１は、ボウル部２を有する便器本体３を備えるとともに、ボウル部２の上部には、便座４が設けられ、この便座４を覆う便蓋５が設けられている。
【００２０】
便座４は、便器本体３にヒンジ部４ａで取付けられて、図３のように、前倒位置Ｄと起立位置Ｕとに回動操作できるようになっている。なお、便座４は、ボウル部２の上部に一体化されたものであっても良い。
【００２１】
便蓋５は、便器本体３の後部にヒンジ部５ａで取付けられて、図２（ａ）の閉止位置Ｃと図３の開放位置Ｏとに回動操作できるようになっている。
【００２２】
便蓋５は、図２（ａ）（ｂ）のように、便座４の上面と外周囲とを覆うようなボックス形状に形成されて、特に便座４の上面との間には所定の隙間ｔが隔てられている。また、便蓋５の外周壁５ｂの下端には、閉止位置Ｃで便器本体３の上面に当接して、便蓋５の内部を水密に閉止するためのパッキン６が取付けられている。なお、図２（ｃ）のように、便座４の下面に、便器本体３の上面に当接するパッキン（足ゴム）７を取付けるとともに、便蓋５の外周壁５ｂの下端に取付けたパッキン６を便座４の上面４ｂに当接させて、便蓋５の内部を水密に閉止することもできる。
【００２３】
そして、用足し後にボウル部２内に洗浄水が供給されると、ボウル部２内の汚水が図２（ａ）の矢印ａの経路を通って外部に排出されるとともに、便蓋５を閉止した状態で、洗浄装置１０からボウル部２内に高圧水やミスト等が矢印ｂのように供給されると、ボウル部２内の封水（溜め水）の喫水線Ｌより上の内面全体が洗浄されるようになる。このとき、便座４の上面４ｂに高圧水やミスト等による水滴ｄが付着するようになる。
【００２４】
便蓋５の内面の略中央部には、図４（ａ）のように、電動式ファン（送風手段）１１を収納した円筒中空状のファンケース１２が取付けられている。このファンケース１２の外周囲には、ファン１１の送風を上向きにガイドするフィン１２ａが設けられている。
【００２５】
ファン１１は、電気配線によって、外部の制御装置（制御手段）１３に接続されて、制御装置１３によってオン・オフのタイミングが制御されるようになる。
【００２６】
そして、ファン１１のオンにより、便蓋５の内面の略中央部に向かって上外向きに送風することで、この送風は、図１（ａ）および図２（ａ）の矢印ｃで示すように、便蓋５の内面に沿って略中央部から外方へ放射状に拡散されながら、便蓋５の外周壁５ｂの内面で内方へＵターンされ、便座４の上面４ｂに沿ってボウル部２内に入るように誘導されるようになるから、便座４の上面４ｂに付着した高圧水やミスト等による水滴ｄは、送風の風力で吹き押されながら、ボウル部２内に吹き落とされるようになる。同時に、送風によって、便座４の上面４ｂが乾燥されるようになる。これにより、次に使用する時には、便座４の上面４ｂに水滴ｄが付着していないので、快適に使用できるようになる。また、送風手段であるファン１１を便蓋５の内面に取付けるだけであるから、構造が簡単でコスト安になる。
【００２７】
図４（ｂ）に示すように、便座４の内端部４ｃを便器本体３のボウル部２の内端部２ａよりも内方に位置させるとともに、便座４の上面４ｂは、ボウル部２に向かって下向きに傾斜θをさせれば、便座４の上面４ｂに付着した水滴ｄがボウル部２内に吹き落とされやすくなる。
【００２８】
また、ファン１１にヒータを付設すれば、送風が温風になるので、この温風によって、便座４の上面４ｂの乾燥が早まるようになる。
【００２９】
さらに、ファン１１は、洗浄装置１０による洗浄の終了後、所定の時間（例えば１分）だけ送風を行うように制御装置１３で制御すれば、洗浄装置１０による自動洗浄に続いて、便座４の上面４ｂの水滴を自動的に除去できるようになる。なお、洗浄装置１０による自動洗浄中、およびこれに続く水滴の自動除去中は、便蓋５を便器本体３にロックすることで、便蓋５を不用意に開けないようにすることもできる。
【００３０】
前記実施形態は、便蓋５の内面の略中央部にファン１１を取付けたものであったが、図５に示すように、便蓋５の内面の略中央部に送風ノズル１４を取付けて、この送風ノズル１４の送風チューブ１５を外部の送風装置（ファンやコンプレッサー等の送風手段）１６に接続することで、便蓋５の内面の略中央部に向かって上外向きに送風することもできる。この場合には、便蓋５の内面部分の構造が極めてシンプルになり、ファン１１の腐食対策等も不要になる。
【図面の簡単な説明】
【００３１】
【図１】本発明の実施形態に係る便器であり、（ａ）は平面図、（ｂ）は側面図である。
【図２】本発明の実施形態に係る便器であり、（ａ）は側面断面図、（ｂ）（ｃ）は要部拡大図である。
【図３】本発明の実施形態に係る便器であり、便蓋を開いた側面断面図である。
【図４】（ａ）はファンを収納したファンケースの側面断面図、（ｂ）は便器の要部拡大図である。
【図５】本発明の実施形態の変形例に係る便器の側面断面図である。
【符号の説明】
【００３２】
１    便器
２    ボウル部
３    便器本体
４    便座
４ｂ  上面
５    便蓋
５ａ  外周壁
１０  洗浄装置
１１  ファン（送風手段）
１２  ファンケース
１２ａ  フィン
１３  制御装置（制御手段）
１４  送風ノズル（送風手段）
１５  送風チューブ
１６  送風装置
ｄ    水滴
【図１】
2008023034.tif 000003
【図２】
2008023034.tif 000004
【図３】
2008023034.tif 000005
【図４】
2008023034.tif 000006
【図５】
2008023034.tif 000007